(57)【要約】      （修正有）【課題】電子装置内で発生する熱等を電子装置の外部に強制的に排出するとともに、当該ファンの電子装置への取り付け作業や交換作業を、省スペースで効率良く容易かつ確実に行う。【解決手段】プロペラ３２とプロペラを駆動させるモータとを内部に備えるファン本体部３１と、電子装置に設けられた電子装置側コネクタ４１と接続するファンコネクタ部３５とを備えたファンと、前記電子装置側コネクタとを備え、前記ファンコネクタ部は、前記モータに接続するケーブルを内部に備え、前記ファン本体部と一体となって設けられ、前記電子装置側コネクタ部は、前記電子装置から導入されるケーブルを内部に備え、前記電子装置に形成された接続孔形成部に取り付けられ、前記ファンを前記電子装置に取り付けることにより、前記ファンコネクタ部及び電子装置側コネクタ部はプラグイン接続される。【選択図】        図２
2004186648.tif 000002
【特許請求の範囲】
【請求項１】
プロペラとプロペラを駆動させるモータとを内部に備えるファン本体部と、電子装置に設けられた電子装置側コネクタと接続するファンコネクタ部とを備えたファンと、
前記電子装置側コネクタとを備えたファンシステムであって、
前記ファンコネクタ部は、前記モータに接続するケーブルを内部に備え、前記ファン本体部と一体となって設けられ、
前記電子装置側コネクタ部は、前記電子装置から導入されるケーブルを内部に備え、前記電子装置に形成された接続孔形成部に取り付けられ、
前記ファンを前記電子装置に取り付けることにより、前記ファンコネクタ部及び電子装置側コネクタ部はプラグイン接続されることを特徴とするファンシステム。
【請求項２】
プロペラとプロペラを駆動させるモータとを内部に備えるファン本体部と、電子装置に設けられた電子装置側コネクタと接続するファンコネクタ部とを備えたファンと、
前記電子装置側コネクタとを備えたファンシステムであって、
前記ファンコネクタ部は、前記モータに接続するケーブルを内部に備え、前記ファン本体部と一体となって設けられ、
前記電子装置側コネクタ部は、前記電子装置の内部に搭載されるプリント配線板に実装され、前記電子装置に形成された接続孔形成部に取り付けられ、
前記ファンを前記電子装置に取り付けることにより、前記ファンコネクタ部及び電子装置側コネクタ部はプラグイン接続されることを特徴とするファンシステム。
【請求項３】
前記ファンコネクタ部は、
前記モータに接続するケーブルが取り付けられ、前記ファンに対して前記プラグイン接続の方向と垂直の方向に移動できる遊着部を内部に備えることを特徴とする請求項１乃至３いずれか一項記載のファンシステム。
【発明の詳細な説明】
【０００１】
【発明の属する技術分野】
本発明は、ファンシステム、特に、電子装置に取り付けられるファンシステムに関する。
【０００２】
【従来の技術】
大規模集積回路（ＬＳＩ：Ｌａｒｇｅ  Ｓｃａｌｅ  ＩｎｔｅｇｒａｔｉｏｎＣｉｒｃｕｉｔ）やＦＰＧＡ（Ｆｉｅｌｄ  Ｐｒｏｇｒａｍｍａｂｌｅ  Ｇａｔｅ  Ａｒｒａｙ）等の半導体部品等が実装されるプリント配線板が搭載される情報通信装置等の電子装置にあっては、半導体部品等の発熱に基づく電子装置の内部の温度の上昇を低減することが、当該電子装置の長期の寿命を確保するために、また、誤動作を防止して高い信頼性を維持するために必要とされる。そこで、当該電子装置には、当該電子装置の内部を強制的に空冷するために強制空冷用ファンが設けられる。
【０００３】
しかしながら、例えば情報通信装置では、当該ファンの寿命は当該情報通信装置に要求される寿命の約１／６乃至１／３程度しか保証されていない。従って、情報通信装置が稼動している状態で、正確かつ短時間でファンを確実に交換することが求められる。また、従来であれば、これらの交換作業はトレーニングを受けた専門家が行なっていたが、最近では一般ユーザレベルでの交換作業に移行しつつある。
【０００４】
かかる観点から、例えば、超高速で大容量の情報を伝送する光ファイバー通信装置等では、少なくとも１個のファンを実装した小型のファン収納体が通信装置本体から着脱交換可能に装備されている。
【０００５】
図１は、従来のファンを装備した電子装置の斜視図である。図１を参照するに、従来のファンは、箱型形状のファン収納体１１の内部に備えられ、モータによって駆動するプロペラ（図示を省略する）を含み、電子装置５の背面（図１においてＸ１側のＹ−Ｚ面）のパネル部７に装備されている。パネル部７には、電気部品８も搭載されている。電子装置５は、電子装置５の両側面（図１においてＹ１及びＹ２側のＸ−Ｚ面）に備えられた取り付け部材６を介して、図示を省略する幅１９インチ等のラックに収納される。
【０００６】
ファン収納体１１は、図１においてＸ１側のＹ−Ｚ面側から見ると略正方形の形状を有する。ファン収納体１１の正面（Ｘ１側のＹ−Ｚ面）形状のうち、プロペラが回転する領域を取り除いたファン収納体１１の四隅には、貫通孔１２が形成されている。貫通孔１２には、ファンの外形の高さ（Ｘ１−Ｘ２方向の長さ）より僅かに長い長尺小螺子部品１３が、ファンの電子装置５への締結用の部品として固着されている。
【０００７】
また、ファンからは、プロペラを駆動するモータ（図示を省略する）に接続している電気ケーブル１４が延出されている。電気ケーブル１４の先端は、コネクタ１５を介して電子装置５にコネクタ接続され、ファンと電子装置５の内部に設けられた回路等は電気的に接続される。
【０００８】
上述のように、ファン収納体１１は箱型形状を有しており、ファンによって空気が吸入又は吐出されるときに、当該空気の流れはプロペラの回転軸に沿った方向に制限される。即ち、当該ファンは軸流ファンとして機能し、電子装置５は強制空冷される。
【０００９】
なお、図１では、小型のファンの例を示したが、大型のファンではファン収納体の側面から見て、空気の流入側と送出側の夫々に、約５ミリ厚さ程度の取り付け部を、フランジ状に２枚対向させて突出させて設けられている。
【００１０】
このように、ファンは電子装置５の内部に実装されず、電子装置５の外部に、外部から見える形で設けられ、更に、電気ケーブル１４によってファンユニット１０と電子装置５とが接続されている。仮に、ファンを電子装置の内側に取り付けるとすると、ファン自身の高さ寸法と、電子装置の天井及び底を形成する構造物の厚み、更に、ファンを交換するため図１においてＸ１方向に取り外すために必要なファンと前記天井及び前記底の内面との間のクリアランスのために、必然的にファンを電子装置の外側に取り付けた場合と比較して装置の高さ寸法が大きくなってしまう。図１に示す構造により、電子装置をラックに取り付け等するときに上述のような電子装置の高さに制限がある場合に対応することが出来る。
【００１１】
また、ファンは電子装置５の外部に設けられているため、操作者が交換作業をする際に操作者の指等を保護するためのフィンガーガード１６が、長尺小螺子部品１３を介して、ファン収納体１１の正面（図１においてＸ１側のＹ−Ｚ面）側に螺子止めされている。
【００１２】
なお、図１に示される従来例のほか、例えば、複数の電子回路ユニットを収容した電子装置のキャビネットに着脱可能に挿入・実装される強制空冷用のファンユニットがある（例えば、特許文献１参照）。
【００１３】
【特許文献１】
特開平９−３３１１７６号公報（第４−７頁、第１図）
【００１４】
【発明が解決しようとする課題】
ところで、電子装置にあっては、一層の薄型化、小型化および高密度実装化が求められ、これに伴い、電子装置を空冷するファンにあっては、一層の簡素化が求められている。
【００１５】
しかしながら、図１に示す従来例の技術では、ファンを電子装置５又はファン収納体１１に装着する場合、先ずファン自体を固着し、更に、別の工程で、コネクタ１５を介して電気ケーブル１４を電子装置５へ接続する必要がある。あるいは、先ず電気ケーブル１４の先端に設けられたコネクタ１５を電子装置５に接続し、次いで、ファンを固着する。このため、電気ケーブル１４には、ある程度の余長部１４−２が必要とされる。
【００１６】
一方、余長部１４−２を含めて電気ケーブル１４を全て電子装置５又はファン収納体１１の内部に収容すると、ファンの交換や取り外し作業をする際に不便となる。
【００１７】
そのため、余長部１４−２は電子装置５の外部にはみ出るように設けられることなり、例えばケーブルホルダ等によって結束する等、かかる余長部１４−２を適切に処理する工程が必要となる。よって、電子装置５及びファンの組み立て工数が増加してしまう。
【００１８】
更に、電気ケーブル１４の余長部１４−２の処理が適切でない場合には、操作者が電子装置５からはみ出した電気ケーブル１４−２に引っ掛かり、電子装置５を損傷させる恐れがある。そのため、特に一般ユーザが、容易かつ確実にファンを取り外したり、交換することは困難である。
【００１９】
また、ファンの取り外しや交換の作業において、電子装置５に接続された電気ケーブル１４を抜き差しするために一定の作業領域が必要とされる。しかるに、小型の電子装置や薄型の電子装置では当該作業領域を確保することは困難である。
【００２０】
なお、上述の特許文献１に記載されている技術でも、ファンとプラグインコネクタとを接続するためのケーブル等が必要されるため、依然として上述の課題を解決することは出来ない。
【００２１】
そこで、本発明の目的は、上記問題に鑑みてなされたものであり、電子装置内で発生する熱等を、電子装置の外部に強制的に排出するファンシステムであって、電子装置への取り付け作業や交換作業を、省スペースで効率良く容易かつ確実に行うことができ、電子装置の小型化又は薄型化に対応することができるファンシステムを提供することにある。
【００２２】
【課題を解決するための手段】
上記目的は、プロペラとプロペラを駆動させるモータとを内部に備えるファン本体部と、電子装置に設けられた電子装置側コネクタと接続するファンコネクタ部とを備えたファンと、前記電子装置側コネクタとを備えたファンシステムであって、前記ファンコネクタ部は、前記モータに接続するケーブルを内部に備え、前記ファン本体部と一体となって設けられ、前記電子装置側コネクタ部は、前記電子装置から導入されるケーブルを内部に備え、前記電子装置に形成された接続孔形成部に取り付けられ、前記ファンを前記電子装置に取り付けることにより、前記ファンコネクタ部及び電子装置側コネクタ部はプラグイン接続されることを特徴とするファンシステムによって達成される。
【００２３】
上記目的はまた、プロペラとプロペラを駆動させるモータとを内部に備えるファン本体部と、電子装置に設けられた電子装置側コネクタと接続するファンコネクタ部とを備えたファンと、前記電子装置側コネクタとを備えたファンシステムであって、前記ファンコネクタ部は、前記モータに接続するケーブルを内部に備え、前記ファン本体部と一体となって設けられ、前記電子装置側コネクタ部は、前記電子装置の内部に搭載されるプリント配線板に実装され、前記電子装置に形成された接続孔形成部に取り付けられ、前記ファンを前記電子装置に取り付けることにより、前記ファンコネクタ部及び電子装置側コネクタ部はプラグイン接続されることを特徴とするファンシステムによっても達成される。
【００２４】
前記ファンコネクタ部は、前記モータに接続するケーブルが取り付けられ、前記ファンに対して前記プラグイン接続の方向と垂直の方向に移動できる遊着部を内部に備えてもよい。
【００２５】
【発明の実施の形態】
以下、図面に基づいて本発明の実施例を説明する。
【００２６】
先ず、本発明の第１の実施形態について説明する。図２は、本発明の第１の実施形態に係るファンシステムを装備した電子装置２０の斜視図である。図３は、図２に示すファンシステムを装備した電子装置２０の別の図であって、（ａ）は、図２に示すファンシステム及び電子装置２０を図２におけるＹ２−Ｙ１方向にみた側面図であり、（ｂ）は、図２に示すファンシステム及び電子装置２０を図２におけるＺ１−Ｚ２方向にみた平面図であり、（ｃ）は、図２に示すファンシステム及び電子装置２０を図２におけるＸ１−Ｘ２方向にみた正面図である。
【００２７】
図４は、第１の実施形態に係るファンシステムの、電子装置２０のパネル部２１への取り付け構造を説明するための分解斜視図である。なお、図４では、説明の便宜のため、電子装置２０のパネル部２１の、図２におけるＺ１−Ｚ２方向の領域は誇張して図示している。図５は、図４に示すファン及び電子装置側コネクタ部４１を、図４に示すパネル部２１へ取り付けた状態を示す図であって、（ａ）は、図４においてＺ１−Ｚ２方向に見た図であり、（ｂ）は、図４においてＸ１−Ｘ２方向に見た図であり、（ｃ）は、図４においてＹ１−Ｙ２方向に見た図である。
【００２８】
図２乃至図５を参照するに、本発明の第１の実施形態に係るファンシステムは、電子装置２０の外面の一つである背面（図２においてＸ１側のＹ−Ｚ面）のパネル部２１に装備されている。ファンシステムは、後述するファン及び電子装置側コネクタ４１から大略構成される。
【００２９】
また、パネル部２１には、多数の電気部品２２が搭載されている。電子装置２０は、電子装置２０の両側面（図２においてＹ１及びＹ２側のＸ−Ｚ面）に備えられた取り付け部材２３を介して、図示を省略する幅１９インチ等のラックに収納される。
【００３０】
ファンは、捩れのついた複数枚の羽根から成るプロペラ３２（図３及び図４参照）とプロペラを駆動するモータ（図示を省略する）等から構成されるファン本体部と、電気コネクタとして機能するファンコネクタ部３５から大略構成される。ファン本体部は、パネル部２１に形成された略円形状のファン通風孔部２５（図４参照）に内設され、箱型形状を有するファン本体部収納体３１によって収納される。ファン本体部収納体３１とファンコネクタ部３５は一体となって設けられている。
【００３１】
ファン本体部収納体３１は、正面（図２においてＸ１側のＹ−Ｚ面）側から見ると略正方形の形状を有する。ファン本体部収納体３１の正面形状のうちプロペラ３２が回転する領域を取り除いたファン本体部収納体３１の四隅には、貫通孔３３が形成されている。貫通孔３３には、ファン本体部の外形の高さ（図２におけるＸ１−Ｘ２方向の長さ）より僅かに長い長尺小螺子部品３４が、ファン通風孔部２５（図４参照）の近傍に設けられた４つのファン固定用孔部２６を介して、ファン本体部のパネル部２１への締結用部品として固着されている。
【００３２】
ファンコネクタ部３５は、ファン本体部収納体３１の側面のうち、図２におけるＹ１側のＸ−Ｚ面と、電子装置２０のパネル部２１に搭載されている電気部品２２との間に、ファン本体部収納体３１と一体に設けられている。ファンコネクタ部３５は、取り付け螺子４０によって電子装置２０のパネル部２１に螺子止めされている電子装置側コネクタ部４１を内包し、電子装置側コネクタ部４１と嵌合する。取り付け螺子４０は、電子装置側コネクタ部４１の底部４５の左右に形成された取り付け孔４２及びファン通風孔部２５の近傍に形成された２つの電子装置側コネクタ部取り付け孔２７に取り付けられる。
【００３３】
２つの電子装置側コネクタ部取り付け孔２７の間には、図２においてＸ１−Ｘ２方向に貫通するようにケーブル貫通孔２８（図４参照）が接続孔形成部として形成されている。電子装置側コネクタ部４１の底部４５には、図５−（ｂ）及び（ｃ）に示されるように、電子装置２０から導入された電子装置側ケーブル４３がケーブル貫通孔２８を介して挿着されている。
【００３４】
なお、ケーブル貫通孔２８、電子装置側ケーブル４３及びファンコネクタ部３５と電子装置側コネクタ部４１との嵌合構造については後述する。
【００３５】
ファン本体部から、プロペラ３２に接続しているファン側電気ケーブル３６が延出され、上述のファンコネクタ部３５へ導入されている。ファンコネクタ部３５と電子装置側コネクタ部４１がコネクタ接続され、プラグイン接続されることにより、ファンと電子装置２０とは電気的に接続される。
【００３６】
上述のように、ファン本体部収納体３１は箱型形状を有しており、ファンによって空気を吸入又は吐出するときに、当該空気の流れがプロペラ３２の回転軸に沿った方向に制限される。即ち、ファンは軸流ファンとして機能し、ファン通風孔部２５を介して、電子装置２０は強制空冷される。
【００３７】
このように、ファンは電子装置５の内部に実装されず、電子装置５の外部に、外部から見えるように設けられ、ファン側電気ケーブル３６によってファンユニット３０と電子装置５とが接続されている。仮に、ファンを電子装置の内側に取り付けるとすると、ファン自身の高さ寸法と、電子装置の天井及び底を形成する構造物の厚み、更に、ファンを交換するため図２においてＸ１方向に取り外すために必要なファンと前記天井及び前記底の内面との間のクリアランスのために、必然的にファンを電子装置の外側に取り付けた場合と比較して装置の高さ寸法が大きくなってしまう。そのため、電子装置をラックに取り付け等するときに、上述のような電子装置の高さに制限がある場合にも対応することが出来る。
【００３８】
図６は、図４に示すファン本体部収納体３１及びファンコネクタ部３５の構造を示す分解斜視図である。
【００３９】
上述したように、ファンコネクタ部３５は、ファン本体部収納体３１の側面のうち図２におけるＹ１側のＸ−Ｚ面と、電子装置２０のパネル部２１に搭載されている電気部品２２（図２参照）との間に、ファン本体部収納体３１と一体となって設けられる。
【００４０】
図６において、ファン本体部収納体３１の上面（Ｚ１方向のＸ−Ｙ面）には、プロペラ３２を駆動するモータ（図示を省略する）に接続されファン本体部から延出されるファン側電気ケーブル３６を収容する電気ケーブル収容部３８が形成されている。電気ケーブル収容部３８は、ファン本体部収納体３１の上面において、Ｚ２方向に窪んだ凹形状を有する。
【００４１】
ファンコネクタ部３５は、ファンコネクタ部ケース３５−１、ファンコネクタ部カバー３５−２、及び端子台５０から大略構成される。ファンコネクタ部ケース３５−１の上面（Ｚ１方向のＸ−Ｙ面）及び下面（Ｚ２方向のＸ−Ｙ面）は開口しており、ファンコネクタ部ケース３５−１の上面は、ファンコネクタ部カバー３５−２によって覆われる。
【００４２】
ファンコネクタ部ケース３５−１は略中空形状を有する。ファンコネクタ部ケース３５−１の内壁３５−３は二段構造となっている。即ち、ファンコネクタ部ケース３５−１の内壁３５−３のうち、ファンコネクタ部ケース３５−１の上面（Ｚ１方向のＸ−Ｙ面）からＺ２方向に所定の長さ離間した位置から下面（Ｚ２方向のＸ−Ｙ面）に至る部分には、所定の長さ内側に突出するように端子台保持部６０が形成されている。
【００４３】
ファンコネクタ部カバー３５−２の下面（Ｚ２方向のＸ−Ｙ面）の外周から、ファンコネクタ部ケース３５−１の端子台保持部６０がファンコネクタ部ケース３５−１の内側に突出している長さ分内側に離間した位置において、ファンコネクタ部カバー３５−２の下面（Ｚ２方向のＸ−Ｙ面）の外周と平行に所定の幅を有する端子台接触部６３がＺ２方向に延在形成されている。Ｘ１側の端子台接触部６３には、切り欠き部６２が形成されている。また、ファンコネクタ部ケース３５−１の上面であって、Ｘ１側には、切り欠き部６１が形成されている。
【００４４】
ファン側電気ケーブル３６は、電気ケーブル収容部３８を介してファンコネクタ部ケース３５−１の切り欠き部６１及びファンコネクタ部カバー３５−２の切り欠き部６２を介して、ファンコネクタ部ケース３５−１の内部へ案内される。
ファン側電気ケーブル３６の端部には、先端が二股に分離されたファン側端子６４が圧着等によって接続されている。
【００４５】
端子台５０は、端子取り付け部５１、端子取り付け部５１の下部に設けられた端子配列部５２等から大略構成される。
【００４６】
端子取り付け部５１の上面（Ｚ１方向のＸ−Ｙ面）の内部には、上述の先端が二股に分離されたファン側端子６４を挿入するための貫通孔５１−１が形成されている。図６に示す例では、３本の電気ケーブルが用いられているため、端子取り付け部５１の上面（Ｚ１方向のＸ−Ｙ面）の内側には６つの貫通孔５１−１が形成されている。
【００４７】
端子取り付け部５１の厚さ（Ｚ１−Ｚ２方向の長さ）は、ファンコネクタ部ケース３５−１の上面（Ｚ１方向のＸ−Ｙ面）から端子保持台６０が位置する部分までの長さとファンコネクタ部カバー３５−２の端子台接触部６３のＺ２方向の長さとの差に略等しい。
【００４８】
端子取り付け部５１の上面（Ｚ１方向のＸ−Ｙ面）及び下面（Ｚ２方向のＸ−Ｙ面）の形状は、ファンコネクタ部ケース３５−１の上面（Ｚ１方向のＸ−Ｙ面）の開口部分の形状に比し、僅かに小さい。従って、端子取り付け部５１をファンコネクタ部ケース３５−１の内部に設けると、端子取り付け部５１は端子保持台６０上に、Ｘ１−Ｘ２方向及びＹ１−Ｙ２方向に僅かに動くことができるように遊着される。
【００４９】
端子配列部５２は、端子取り付け部５１からＺ２方向に延在形成されている。
端子取り付け部５１の上面（Ｚ１方向のＸ−Ｙ面）から端子配列部５２の下端（Ｚ２方向の端部）までのＺ２方向の長さは、ファン側端子６４のＺ２方向の長さに略等しい。
【００５０】
図７は、図４に示す電子装置側コネクタ部４１の分解斜視図である。
【００５１】
上述したように、ファンコネクタ部３５（図６参照）に内包される電子装置側コネクタ部４１は、取り付け螺子４０（図４参照）を電子装置側コネクタ部４１の底部４５の左右に形成された取り付け孔４２及びファン通風孔部２５（図４参照）の近傍に形成された２つの電子装置側コネクタ部取り付け孔２７（図４参照）に螺嵌することによって、電子装置２０のパネル部２１に螺子止めされる（図４参照）。
【００５２】
電子装置側コネクタ部４１の内部には、後述する電子装置側端子４７の長さ（図７におけるＺ１−Ｚ２方向の長さ）と略等しい深さを有する溝部４１−１が形成されている。溝部４１−１の内壁は、図７においてＺ１−Ｚ２方向に見たときに、凸凹形状を有する。溝部４１−１の内壁の凹部４６には、後述する電子装置側コネクタ端子４７が配列され嵌合する。溝部４１−１の底面には、図７においてＺ１−Ｚ２方向に貫通した貫通孔４９が形成されている。
【００５３】
電子装置２０から導入された電子装置側ケーブル４３の端部には、先端が二股に分離された電子装置側コネクタ端子４７が圧着等により接続されて設けられている。
【００５４】
上述の構造の下、電子装置２０から導入された電子装置側ケーブル４３がケーブル貫通孔２８及び貫通孔４９を介して電子装置側コネクタ部４１の内部に挿着される。
【００５５】
図８は、ファンコネクタ部３５と電子装置側コネクタ部４１との嵌合構造を説明するための図であり、図５−（ａ）における線Ａ−Ａにおける断面図である。
【００５６】
図８を参照するに、ファンコネクタ部３５と電子装置側コネクタ部４１との嵌合は、所謂フローティング構造を構成する。即ち、上述のように端子取り付け部５１は端子保持台６０上に図６におけるＸ１−Ｘ２方向及びＹ１−Ｙ２方向に僅かに動くことができるように隙間をもって遊着されているので、電子装置側ケーブル４３の先端に設けられた電子装置側コネクタ端子４７が内部に挿着された電子装置側コネクタ部４１を、ファン側電気ケーブル３６の先端に設けられたファン本体側端子６４が貫通孔５１−１に嵌挿された端子台５０を内部に備えるファンコネクタ部３５によって内包すると、容易に位置決めでき、端子台５０に設けられたファン側端子６４は電子装置側コネクタ端子４７と接続される。
【００５７】
換言すれば、端子台保持部６０の上面６０−１、端子台接触部６３の下面６３−１、及びファンコネクタ部ケース３５−１の内壁３５−３のうち端子台保持部６０より上側（図６におけるＺ１側）に位置する部分により、隙間をもって、ファン側端子６４が設けられた端子台５０が、遊着部として図６におけるＸ１−Ｘ２方向及びＹ１−Ｙ２方向に可動できるように構成されている。
【００５８】
かかるフローティング構造により、たとえ、ファンコネクタ部３５側と電子装置側コネクタ部４１側に寸法誤差が生じていても、ファン側端子６４を電子装置側コネクタ端子４７に容易かつ確実に嵌合することができ、ファン側電気ケーブル３６を電子装置２０から導入された電子装置側ケーブル４３に接続することができる。
【００５９】
なお、ファンが比較的小型であれば、ファンを構成する各部品の寸法精度が確保しやすいため、必ずしも上述のフローティング構造は有していなくてもよい。
【００６０】
上述のように、本実施形態では、ファンを電子装置２０のパネル部２１に取り付ける操作をするだけで、ファンを電子装置２０に取り付ける操作とは別個にコネクタを接続するという従来必要であった操作を行うことなく、確実かつ容易に、電子装置２０側に設けられた電子装置側コネクタ部４１とファンのファンコネクタ部３５とを嵌合できる。その結果、ファンと電子装置２０とがプラグイン接続される。また、この操作と逆の操作を行うことによりプラグイン接続の解除が可能となる。
【００６１】
従って、電子装置２０とファンとを電気的に接続するためにケーブルやコネクタを、操作者の指で着脱するための作業領域が不要となる。よって、例えば、従来技術ではファンの交換作業が困難な小型卓上装置や、幅１９インチ等のラックに搭載される最小高さの薄型装置であっても、ファンを容易に取り付けたり交換したりすることができる。
【００６２】
更に、ファン側電気ケーブル３６は、ファン本体部収納体３１の電気ケーブル収容部３８を介してファンコネクタ部３５の内部へ導入され、電子装置２０の外側にはみ出さない。従って、ファン側電気ケーブル３６に人や物が引っ掛かって、電子装置２０を損傷することを防止することが出来る。
【００６３】
次に、本発明の第２の実施形態について説明する。本発明の第２の実施形態において、第１の実施形態と同一部分については、図面中に同じ番号を付し、その説明を省略する。第２の実施形態においても、ファンシステムはファン及び電子装置側コネクタ１４１から大略構成される。ファンは、プロペラ３２及びプロペラを駆動するモータ等を含むファン本体部と、ファンコネクタ部３５等から大略構成される。
【００６４】
図９は、本発明の第２の実施形態に係るファンシステムの電子装置２０のパネル部２１への取り付け構造を説明するための分解斜視図である。なお、図９では、説明の便宜のため、電子装置２０のパネル部２１の、図２におけるＺ１−Ｚ２方向の領域は誇張して図示している。
【００６５】
図９を参照するに、第２の実施形態では、第１の実施形態と異なり、電子装置側コネクタ部１４１は、電子装置２０のパネル部２１の内側（図９におけるＺ２方向側）に配置されている。
【００６６】
具体的には、電子装置側コネクタ部１４１の取り付け螺子１４０が、電子装置側コネクタ部１４１の上部１４５の左右に形成された取り付け孔１４２及びファン通風孔部２５の近傍に形成された２つの電子装置側コネクタ部取り付け孔２７に挿入され、電子装置側コネクタ部１４１が、電子装置２０のパネル部２１の内側に取り付けられる。
【００６７】
また、図９では図示を省略するが、第１の実施形態と同様に、第２の実施形態においても、端子台５０は、フローティング構造の下、ファンコネクタ部３５の内部に設けられている。しかし、第１の実施形態と異なり、第２の実施形態では、当該端子台５０を保持する端子台保持部６０は、第１の実施形態の場合よりも低く設けられており、その結果、端子配列部５２は、ファンコネクタ部３５の下面からＺ２方向に突出している。
【００６８】
従って、ファンコネクタ部３５と一体となっているファン本体部収納体１３１を、ファン通風孔部２５及び端子配列部貫通孔１２８に合わせて、電子装置２０のパネル部２１上に取り付けることにより、当該端子配列部５２は、略矩形形状を有する端子配列部貫通孔１２８に挿入され、図９において図示を省略する電子装置側コネクタ端子４７はファン側端子６４と嵌合され接続される。
【００６９】
図９に示すファン本体部収納体１３１及び電子装置側コネクタ部１４１を、図９に示すパネル部２１へ取り付けた状態が図１０に示されている。第２の実施形態においても、第１の実施形態と同様の効果を奏することが出来る。
【００７０】
次に、本発明の第３の実施形態について説明する。本発明の第３の実施形態において、第１の実施形態及び第２の実施形態と同一部分については、図面中に同じ番号を付し、その説明を省略する。第３の実施形態においても、ファンシステムはファン及び電子装置側コネクタ２４１から大略構成される。ファンは、プロペラ３２及びプロペラを駆動するモータ等を含むファン本体部と、ファンコネクタ部３５等から大略構成される。
【００７１】
図１１は、本発明の第３の実施形態に係るファンを、電子装置２０のパネル部２１を介して電子装置２０のバックプレーン５００に設けられた電子装置側コネクタ部２４１へ取り付ける構造を説明するための分解斜視図である。なお、図１１では、説明の便宜のため、電子装置２０のパネル部２１の図２におけるＺ１−Ｚ２方向の領域及びバックプレーン５００のＺ１−Ｚ２方向の領域は誇張して図示している。
【００７２】
図１２は、本発明の第３の実施形態に係るファンのファン本体部１３１を、電子装置２０のパネル部２１を介して電子装置２０のバックプレーン５００に設けられた電子装置側コネクタ部２４１へ取り付けた状態を示す図である。
【００７３】
図１３は、本発明の第３の実施形態に係るファンが前面に取り付けられ、内部に多数のプラグインユニット５１０を搭載する電子装置２０及び当該プラグインユニット５１０の斜視図である。図１４は、図１３に示す電子装置２０及びプラグインユニット５１０を上から見たときの概略透視図である。
【００７４】
図１１乃至図１４を参照するに、第３の実施形態では、第１及び第２の実施形態と異なり、電子装置側コネクタ部２４１は、電子装置２０の内部に設けられたバックプレーン５００に搭載されている。
【００７５】
更に、第２の実施形態と同様に、図１１乃至図１４では図示を省略する端子台５０を保持する端子台保持部６０は、第１の実施形態の場合よりも低く設けられており、端子配列部５２は、ファンコネクタ部３５の下面からＺ２方向に突出している。
【００７６】
従って、ファン本体部収納体１３１を、ファン通風孔部２５及び端子配列部貫通孔１２８に合わせて、電子装置２０のパネル部２１上に載置すると、端子配列部５２は、略矩形形状を有する端子配列部貫通孔１２８に挿入され、図１１乃至図１４において図示を省略する電子装置側コネクタ端子４７はファン側端子６４と嵌合され接続される。
【００７７】
一般に、電子装置等においては、機能ごとに又は回線数の単位ごとに増減設定を可能とするためパッケージ化されていることが多く、利便性を図るため挿入することで電気的接続を確保できるプラグインユニットを内部に搭載する形態が採用されている。
【００７８】
図１３及び図１４に示されるように、電子装置２０の内部の上下に設けられたガイドレール（図示を省略する）にプラグインユニット５１０のプリント配線板５１１の上下端を、図１３及び図１４に示す矢印の方向へ挿入し、プラグインユニット５１０のコネクタ５１２を、電子装置２０の内部に設けられたバックプレーン５００に実装されたプラグインユニット用コネクタ５１３（図１４参照）に嵌合させることによって、プラグインユニット５１０は電子装置２０の内部に実装され、プラグイン接続される。
【００７９】
また、図１４に示すように、プラグインユニット５１０が接続されるバックプレーン５００の、プラグインユニット用コネクタ５１３が実装されている面と反対側の面には、電子装置側コネクタ部２４１が実装されている。
【００８０】
従って、プラグインユニット５１０とファンとの間に電気的接続が必要な場合に、プリント配線板たるバックプレーン５００を用いることができる。よって、バックプレーン５００を、プラグインユニット５１０の接続用とファンの接続用とに兼用することができ、効率的に使用することができる。
【００８１】
即ち、電気ケーブルを電子装置側コネクタ部２４１に設けることなく、ファンと電子装置２０とを簡易に電気的に接続することができる。
【００８２】
なお、第３の実施形態において、第１及び第２の実施形態と同様の効果も奏することができることは言うまでもない。
【００８３】
次に、本発明の第４の実施形態について説明する。本発明の第４の実施形態において、第１の実施形態及び第２の実施形態と同一部分については、図面中に同じ番号を付し、その説明を省略する。第４の実施形態においても、ファンシステムはファン及び電子装置側コネクタ１４１から大略構成される。ファンは、プロペラ３２及びプロペラを駆動するモータ等を含むファン本体部と、ファンコネクタ部３５等から大略構成される。
【００８４】
図１５は、本発明の第４の実施形態に係るファンシステムの電子装置２０のパネル部２１への取り付け構造を説明するための分解斜視図である。なお、図１５では、説明の便宜のため、電子装置２０のパネル部２１の図２におけるＺ１−Ｚ２方向の領域は誇張して図示している。
【００８５】
図１６は、図１５に示すファン及び電子装置側コネクタ部４１を、図１５に示すパネル部２１へ取り付けた状態を示す図である。図１７は、図１６に示すファン及びパネル部２１を、図１６におけるＸ１−Ｘ２方向から見た側面図である。
図１８は、図１６に示すファン及びパネル部２１の線Ｂ−Ｂにおける断面図である。
【００８６】
第１の実施形態のファン本体部収納体３１及び第２及び第３の実施形態のファン本体部収納体１３１は、貫通孔３３に長尺小螺子部品３４を用いて、パネル部２１へ固着される。第４の実施形態では、図１５乃至図１８に示されるように、ファン本体部収納体２３１の４つの側面のうちの２面に形成された係合爪部６０３とファン通風孔部２２５の周の一部に形成された係合爪受け部２２５−１との係合によりファン本体部収納体２３１はパネル部２１へ固着され、これにより電子装置２０のパネル部２１へのファン本体部収納体２３１の着脱交換作業の更なる容易化が図られる。
【００８７】
より具体的には、ファン本体部収納体２３１の４つの側面のうち、ファンコネクタ部３５が取り付けられた面及びこの面に対向する面以外の２つの側面に、図１５においてＺ１−Ｚ２方向に切り欠き溝６０１が平行して形成されている。２つの切り欠き溝６０１の間には、弾性変形部６０２が形成され、上記側面とは別個に操作者の指等によりＸ１−Ｘ２方向に弾性変形され得る。
【００８８】
弾性変形部６０２の先端には、係合爪部６０３が形成されている。図１８において拡大して示されるように、係合爪部６０３の先端は、外側（図１５又は図１６においてＸ１方向又はＸ２方向側）に傾斜する傾斜部６０３−１を有する。傾斜部６０３−１により、弾性変形部６０２の幅は、係合爪部６０３の先端から傾斜部６０３−１が後述するファン通風孔部２２５の係合爪受け部２２５−１に当接する部分である当接部６０３−２にかけて広がるように形成されている。また、図示を省略するが、ファン本体部収納体２３１の下面の四隅には、図１５又は図１６においてＺ１方向に所定の深さを有する孔部が形成されている。
【００８９】
パネル部２１に形成されたファン通風孔部２２５の周の所定の２箇所において、ファン通風孔部２２５の周の外側（図１５又は図１６においてＸ１方向又はＸ２方向側）にファン通風孔部２２５の周が拡大する形態で係合爪受け部２２５−１が形成されている。
【００９０】
また、ファン通風孔部２２５の外側には、突起部６００が、図１５又は図１６においてＺ１方向に突出するように延在形成されている。ファン本体部収納体２３１の下面の四隅に形成された孔部とファン通風孔部２２５の外側に形成された突起部６００は、ファン本体部収納体２３１をパネル部２１へ載置する際にファン本体部収納体２３１のパネル部２１への位置合わせとして機能する。
【００９１】
更に、一の係合爪受け部２２５−１の外縁部分と他の係合爪受け部２２５−１の外縁部分との間の長さは、一の当接部６０３−２の外縁部分と他の当接部６０３−２の外縁部分との間の長さよりも短い。
【００９２】
従って、ファン本体部収納体２３１をパネル部２１へ載置すると、弾性変形部６０２は図１５又は図１６においてＸ１−Ｘ２方向に弾性変形されて、係合爪部６０３はファン通風孔部２２５内に挿入され、係合爪部６０３は、ファン通風孔部２２５の周に対する係合部として、係合爪受け部２２５−１に係合する。これにより、ファン本体部収納体２３１はパネル部２１へ固着される。
【００９３】
また、弾性変形部６０２を指で押して図１５又は図１６においてＸ１−Ｘ２方向に弾性変形させ、係合爪部６０３はファン通風孔部２２５内に挿入してもよい。
【００９４】
ひとたび係合爪部６０３と係合爪受け部２２５−１とが係合すると、ファン本体部収納体２３１を引き抜こうとする方向（図１５及び図１６におけるＺ１方向）に力が作用されても、ファン本体部収納体２３１のパネル部２１への固着は解除されない。パネル部２１に固着されたファン本体部収納体２３１を取り外す場合には、弾性変形部６０２を指で押して図１５又は図１６においてＸ１−Ｘ２方向に弾性変形させながら、容易に係合爪部６０３と係合爪受け部２２５−１との係合を解除することが出来る。
【００９５】
このようにして、第１、第２及び第３の実施形態で用いている長尺小螺子部品３４を用いることなく、電子装置２０のパネル部２１へファン本体部収納体２３１を取り付け及び取り外す作業の更なる容易化が図られている。なお、本実施形態においても、第１の実施形態における効果と同じ効果も奏することができることは言うまでもない。
【００９６】
なお、上述の例では、孔部がファン本体部収納体２３１の下面の四隅に形成され、突起部６００がファン通風孔部２２５の外側に形成された場合を示したが、孔部をファン通風孔部２２５の外側に形成し、突起部をファン本体部収納体２３１の下面の四隅に形成することによって、ファン本体部収納体２３１をパネル部２１へ載置する際におけるファン本体部収納体２３１のパネル部２１への位置合わせとして機能させてもよい。
【００９７】
また、上述の例では、ファン通風孔部２２５の周の所定の２箇所において、ファン通風孔部２２５の周の外側（図１５又は図１６においてＸ１方向又はＸ２方向側）にファン通風孔部２２５の周が拡大するような形態で係合爪受け部２２５−１が形成され、一の係合爪受け部２２５−１の外縁部分と他の係合爪受け部２２５−１の外縁部分との間の長さは、一の当接部６０３−２の外縁部分と他の当接部６０３−２の外縁部分との間の長さよりも短くされている場合を示したが、ファン通風孔部２２５の全周の外縁部分が当接部６０３−２と当接するようにファン通風孔部２２５の全周を形成してもよい。
【００９８】
次に、本発明の第５の実施形態について説明する。本発明の第５の実施形態において、第１の実施形態と同一部分については、図面中に同じ番号を付し、その説明を省略する。第５の実施形態においても、ファンシステムはファン及び電子装置側コネクタ４１から大略構成される。ファンは、プロペラ３２及びプロペラを駆動するモータ等を含むファン本体部と、ファンコネクタ部３５等から大略構成される。
【００９９】
図１９は、本発明の第５の実施形態に係るファン及び電子装置側コネクタ部４１を電子装置２０のパネル部２１へ取り付けた状態を示す図である。なお、図１９では、説明の便宜のため、電子装置２０のパネル部２１の図２におけるＺ１−Ｚ２方向の領域は誇張して図示している。
【０１００】
図１９を参照するに、電子装置２０の外部に設けられているファンの交換作業をする際に、操作者の指等を保護するフィンガーガード７００が、長尺小螺子部品３４を介して、ファン本体部収納体３３１の上面（図１９におけるＺ１側の面）に螺子止めされている。フィンガーガード７００は、金属線材を用いたものでもよく、また、合成樹脂によりファンユニットと一体的に成形されたものであってもよい。
【０１０１】
かかる構造により、操作者の危険が防止されるとともに、ファンの電子装置２０への取り付けを一層容易かつ確実に行うことができる。例えば、発明者の知見によれば、本発明の第４の実施形態と本発明の第５の実施形態を組み合わせた構造により、ファンの電子装置２０への着脱時間は、従来技術を用いた場合に比し、約１／２５から１／６０程度の時間に短縮される。
【０１０２】
なお、本発明の第５の実施形態においても、第１の実施形態の効果と同様の効果も奏することは言うまでもない。
【０１０３】
次に、本発明の第６の実施形態について説明する。本発明の第６の実施形態において、第１の実施形態と同一部分については、図面中に同じ番号を付し、その説明を省略する。
【０１０４】
図２０は、本発明の第６の実施形態に係るファンシステムを電子装置２００のパネル部２１０へ取り付けた状態を示す図である。図２０は、図２に示す状態においてＸ１−Ｘ２方向に電子装置２００を見た図である。
【０１０５】
図２０を参照するに、２つのファンが図２におけるＹ１−Ｙ２方向（横方向）に、並列して配置されている。内部にファン本体部を収納するファン本体部収納体４３０−１の側面に取り付けられるファンコネクタ部３５１は当該側面の端部近傍に設けられている。
【０１０６】
当該側面のうちファンコネクタ部３５１が設けられていない箇所の近傍であって、
内部にファン本体部を収納するファン本体部収納体４３０−２の側面の端部近傍にファンコネクタ部３５２が設けられている。これにより、２つのファンは、図２におけるＹ１−Ｙ２方向（横方向）に並列して配置されている。
【０１０７】
このような構造にすることにより、電子装置２０のパネル部５１のスペースを有効に利用して複数のファンをパネル部５１に搭載することが出来る。
【０１０８】
以上本発明の好ましい実施例について詳述したが、本発明は係る特定の実施形態に限定されるものではなく、特許請求の範囲に記載された本発明の要旨の範囲内において、種々の変形・変更が可能である。
【０１０９】
例えば、上述の実施形態では、プロペラ３２の回転軸方向に、ファンコネクタ部３５と電子装置側コネクタ部４１とがプラグインする所謂垂直プラグイン構造とされているが、本発明はこれに限らず、ファンコネクタ部３５と電子装置側コネクタ部４１とがプロペラ３２の回転軸と垂直の方向にプラグインする所謂側面プラグイン構造としてもよい。
【０１１０】
なお、本発明は、以下に記載する付記のような構成が考えられる。
（付記１）  プロペラとプロペラを駆動させるモータとを内部に備えるファン本体部と、電子装置に設けられた電子装置側コネクタと接続するファンコネクタ部とを備えたファンと、
前記電子装置側コネクタとを備えたファンシステムであって、
前記ファンコネクタ部は、前記モータに接続するケーブルを内部に備え、前記ファン本体部と一体となって設けられ、
前記電子装置側コネクタ部は、前記電子装置から導入されるケーブルを内部に備え、前記電子装置に形成された接続孔形成部に取り付けられ、
前記ファンを前記電子装置に取り付けることにより、前記ファンコネクタ部及び電子装置側コネクタ部はプラグイン接続されることを特徴とするファンシステム。
（付記２）  前記電子装置側コネクタ部は、
前記接続孔形成部において、前記電子装置の前記外面側に取り付けられることを特徴とする付記１記載のファンシステム。
（付記３）  前記電子装置側コネクタ部は、
前記接続孔形成部において、前記電子装置の前記外面側と反対側に取り付けられることを特徴とする付記１記載のファンシステム。
（付記４）  プロペラとプロペラを駆動させるモータとを内部に備えるファン本体部と、電子装置に設けられた電子装置側コネクタと接続するファンコネクタ部とを備えたファンと、
前記電子装置側コネクタとを備えたファンシステムであって、
前記ファンコネクタ部は、前記モータに接続するケーブルを内部に備え、前記ファン本体部と一体となって設けられ、
前記電子装置側コネクタ部は、前記電子装置の内部に搭載されるプリント配線板に実装され、前記電子装置に形成された接続孔形成部に取り付けられ、
前記ファンを前記電子装置に取り付けることにより、前記ファンコネクタ部及び電子装置側コネクタ部はプラグイン接続されることを特徴とするファンシステム。
（付記５）  前記プリント配線板は、前記電子装置に搭載されるプラグインユニットとプラグイン接続され、
前記電子装置側コネクタ部は、前記プリント配線板を介して、前記プラグインユニットと電気的に接続されることを特徴とする付記４記載のファンシステム。
（付記６）  前記ファンコネクタ部は、
前記モータに接続するケーブルが取り付けられ、前記ファンに対して前記プラグイン接続の方向と垂直の方向に移動できる遊着部を内部に備えることを特徴とする付記１乃至５記載のファンシステム。
（付記７）  前記ファン本体部を収納するファン本体部収納体を更に備え、
前記電子装置には、前記ファンによって空気を吸入又は吐出するためのファン通風孔部が形成され、
前記ファン本体部収納体の側面には、前記ファンの前記電子装置の外面への取り付け方向と垂直の方向に弾性変形可能な弾性変形部が形成され、
前記弾性変形部の端部に前記ファン通風孔部の周と係合する係合部が設けられていることを特徴とする付記１乃至６記載のファンシステム。
（付記８）  前記ファン本体部を収納するファン本体部収納体を更に備え、
前記ファン本体部収納体の外面であって、前記ファンの回転面と平行に位置する面に、前記ファン本体部収納体と一体に形成され樹脂から成るフィンガーガードを備えたことを特徴とする付記１乃至７記載のファンシステム。
【０１１１】
【発明の効果】
以上詳述したところから明らかなように、本発明によるファンシステムによれば、電子装置内で発生する熱等を電子装置の外部に強制的に排出するとともに、ファンの電子装置への取り付け作業や交換作業を、省スペースで効率良く容易かつ確実に行うことができ、電子装置の小型化又は薄型化に対応することができる。
【図面の簡単な説明】
【図１】従来のファンを装備した電子装置の斜視図である。
【図２】本発明の第１の実施形態に係るファンシステムを装備した電子装置２０の斜視図である。
【図３】図２に示すファンシステムを装備した電子装置２０の別の図面である。
【図４】第１の実施形態に係るファンシステムの、電子装置２０のパネル部２１への取り付け構造を説明するための分解斜視図である。
【図５】図４に示すファン及び電子装置側コネクタ部４１を、図４に示すパネル部２１へ取り付けた状態を示す図である。
【図６】図４に示すファン本体部収納体３１及びファンコネクタ部３５の構造を示す分解斜視図である。
【図７】図４に示す電子装置側コネクタ部４１の分解斜視図である。
【図８】ファンコネクタ部３５と電子装置側コネクタ部４１との嵌合構造を説明するための図である。
【図９】本発明の第２の実施形態に係るファンシステムの、電子装置２０のパネル部２１への取り付け構造を説明するための分解斜視図である。
【図１０】図９に示すファン本体部収納体１３１及び電子装置側コネクタ部１４１を、図９に示すパネル部２１へ取り付けた状態を示す図である。
【図１１】本発明の第３の実施形態に係るファンを、電子装置２０のパネル部２１を介して、電子装置２０のバックプレーン５００に設けられた電子装置側コネクタ部２４１へ取り付ける構造を説明するための分解斜視図である。
【図１２】図１１に示すファンを、電子装置２０のパネル部２１を介して、電子装置２０のバックプレーン５００に設けられた電子装置側コネクタ部２４１へ取り付けた状態を示す図である。
【図１３】本発明の第３の実施形態に係るファンが前面に取り付けられ、内部に多数のプラグインユニット５１０を搭載する電子装置２０及び当該プラグインユニット５１０の斜視図である。
【図１４】図１３に示す電子装置２０及びプラグインユニット５１０を上から見たときの概略透視図である。
【図１５】本発明の第４の実施形態に係るファンシステムの、電子装置２０のパネル部２１への取り付け構造を説明するための分解斜視図である。
【図１６】図１５に示すファン及び電子装置側コネクタ部４１を、図１５に示すパネル部２１へ取り付けた状態を示す図である。
【図１７】図１６に示すファン及びパネル部２１を、図１６におけるＸ１−Ｘ２方向から見た側面図である。
【図１８】図１６に示すファン及びパネル部２１の線Ｂ−Ｂにおける断面図である。
【図１９】本発明の第５の実施形態に係るファン及び電子装置側コネクタ部４１を電子装置２０のパネル部２１へ取り付けた状態を示す図である。
【図２０】本発明の第６の実施形態に係るファンシステムを電子装置２００のパネル部２１へ取り付けた状態を示す図である。
【符号の説明】
２０、２００                      電子装置
２１、２１０                      パネル部
２５、２２５                      ファン通風孔部
２８                              ケーブル貫通孔
３１、１３１、２３１、３３１      ファン本体部収納体
３２                              プロペラ
３５                              ファンコネクタ部
３６                              ファン側電気ケーブル
４１、１４１                      電子装置側コネクタ部
４３                              電子装置側電気ケーブル
５０                              端子台
１２８                            端子配列部貫通孔
２２５−１                        係合爪受け部
５００                            バックプレーン
５１０                            プラグインユニット
６０２                            弾性変形部
６０３                            係合爪部
７００                            フィンガーガード
【図１】
2004186648.tif 000003
【図２】
2004186648.tif 000004
【図３】
2004186648.tif 000005
【図４】
2004186648.tif 000006
【図５】
2004186648.tif 000007
【図６】
2004186648.tif 000008
【図７】
2004186648.tif 000009
【図８】
2004186648.tif 000010
【図９】
2004186648.tif 000011
【図１０】
2004186648.tif 000012
【図１１】
2004186648.tif 000013
【図１２】
2004186648.tif 000014
【図１３】
2004186648.tif 000015
【図１４】
2004186648.tif 000016
【図１５】
2004186648.tif 000017
【図１６】
2004186648.tif 000018
【図１７】
2004186648.tif 000019
【図１８】
2004186648.tif 000020
【図１９】
2004186648.tif 000021
【図２０】
2004186648.tif 000022